(57)【特許請求の範囲】
【請求項１】
コンクリート部材に配筋された鉄筋と、前記鉄筋の内側に配設されたはらみ出し抑制部材と、を備える配筋構造であって、
前記はらみ出し抑制部材は、前記鉄筋と間隔をあけて配設された枠部と、一端が前記鉄筋に係止されているとともに他端が前記枠部に固定された係止部と、を備えていて、
前記枠部は、矩形状、鋸刃状または凹凸状に形成されているとともに前記コンクリート部材の表面と平行に配設されていることを特徴とする、配筋構造。
【請求項２】
コンクリート部材に配筋された鉄筋と、前記鉄筋の外側に配設されたはらみ出し抑制部材と、を備える配筋構造であって、
前記はらみ出し抑制部材は、曲げ加工により形成された凸部と直線部とを有する側面視で直線状の鋼棒からなり、
前記直線部が隣り合う２本の前記鉄筋の外側に接しているとともに、前記凸部が前記鉄筋よりも内側に配置されていることを特徴とする、配筋構造。
【請求項３】
コンクリート部材の表面側と裏面側とに沿ってそれぞれ配筋された外側主鉄筋および外側配力筋と、前記外側主鉄筋および外側配力筋の内側に並設された内側主鉄筋および内側配力筋と、前記外側主鉄筋と前記内側主鉄筋とを連結するはらみ出し抑制部材と、を備える配筋構造であって、
前記はらみ出し抑制部材は、複数本の前記内側主鉄筋を囲うようにコ字状を呈しており、
前記はらみ出し抑制部材の両端は、前記外側主鉄筋または前記外側配力筋に係止されていることを特徴とする、配筋構造。
【発明の詳細な説明】
【技術分野】
【０００１】
本発明は、配筋構造に関する。
【背景技術】
【０００２】
地震等により鉄筋コンクリート構造物が大きな繰り返し変形を受けると、内部に配筋された主鉄筋がはらみ出す場合がある。
主鉄筋がはらみ出すとコンクリート構造物の耐力や変形能力が低下してしまうため、主鉄筋のはらみ出しを抑制する配筋構造が多数提案されている。
【０００３】
例えば、特許文献１には、部材の断面方向に沿ってせん断補強鉄筋を配置し、このせん断補強鉄筋の両端を主鉄筋または主鉄筋を取り囲む帯鉄筋に係止させる配筋構造が開示されている。せん断補強鉄筋の両端には、主鉄筋または帯鉄筋に係止するためのフック部または係止板が形成されている。
【０００４】
また、特許文献２には、プレートの一面側に複数の棒状の定着部材が突設された保持部材を、帯鉄筋間に定着部材を差し込んだ状態で主鉄筋の表面側に配設することで、主鉄筋のはらみ出しを抑制する配筋構造が開示されている。
【先行技術文献】
【特許文献】
【０００５】
【特許文献１】特開２００４−２６３５５６号公報
【特許文献２】特許第３７５５０５８号公報
【発明の概要】
【発明が解決しようとする課題】
【０００６】
特許文献１の配筋構造は、多数のせん断補強鉄筋を配筋する作業に手間を要していた。
また、特許文献２の配筋構造は、プレートが軸方向応力を分担することで、コンクリート部材の曲げ耐力を増加させるおそれがある。曲げ耐力が増加すると曲げせん断耐力比に影響がおよび、コンクリート部材がせん断破壊しやすくなることで、変形性能が低下するおそれがある。また、棒状の定着部材では、先端の定着が不十分となる場合がある。
【０００７】
本発明は、前記の問題点を解決するものであり、簡易に構成することを可能とし、かつ、主鉄筋のはらみ出しを抑制することを可能とした配筋構造を提案することを課題とする。
【課題を解決するための手段】
【０００８】
前記課題を解決するために、本発明の第一の配筋構造は、コンクリート部材に配筋された鉄筋と、前記鉄筋の内側に配設されたはらみ出し抑制部材とを備えるものであって、前記はらみ出し抑制部材は、前記鉄筋と間隔をあけて配設された枠部と、一端が前記鉄筋に係止されているとともに他端が前記枠部に固定された係止部とを備えていて、前記枠部は、矩形状、鋸刃状または凹凸状に形成されているとともに前記コンクリート部材の表面と平行に配設されていることを特徴としている。
【０００９】
なお、前記枠部は、曲げ加工が施された鉄筋により形成されていてもよいし、プレート状の部材により形成されていてもよい。
【００１０】
第一の配筋構造によれば、はらみ出し抑制部材が係止部と枠部とにより立体的に形成されているため、はらみ出し抑制部材の設置および固定が容易である。また、コンクリート打設時にはらみ出し抑制部材の位置がずれることも防止できる。
また、鉄筋に沿って鋼材を設けることなく、枠部を鉄筋の内側に間隔をあけて配設するため、枠部がコンクリート部材の曲げ耐力に寄与することがない。そのため、はらみ出し抑制部材を配設することによりコンクリート部材の変形性能が低下することもない。
【００１１】
また、第二の配筋構造は、コンクリート部材に配筋された鉄筋と、前記鉄筋の外側に配設されたはらみ出し抑制部材とを備えるものであって、前記はらみ出し抑制部材は、曲げ加工により形成された凸部と直線部とを有する側面視で直線状の鋼棒からなり、前記直線部が隣り合う２本の前記鉄筋の外側に接しているとともに前記凸部が前記鉄筋よりも内側に配置されていることを特徴としている。
【００１２】
第二の配筋構造によれば、凸部を鉄筋同士の間に差し込むだけで、はらみ出し抑制部材の設置が完了するため、はらみ出し抑制部材の設置および固定が容易である。
また、はらみ出し抑制部材には、鉄筋の長手方向に沿って連続する部分を備えていないため、コンクリート部材の曲げ耐力に寄与することがない。そのため、コンクリート部材の変形性能が低下することもない。
【００１３】
さらに、第三の配筋構造は、コンクリート部材の表面側と裏面側とに沿ってそれぞれ配筋された外側主鉄筋および外側配力筋と、前記外側主鉄筋および外側配力筋の内側に並設された内側主鉄筋および内側配力筋と、前記外側主鉄筋と前記内側主鉄筋とを連結するはらみ出し抑制部材とを備えるものであって、前記はらみ出し抑制部材は、複数本の前記内側主鉄筋を囲うようにコ字状を呈しており、前記はらみ出し抑制部材の両端は、前記外側主鉄筋または前記外側配力筋に係止されていることを特徴としている。
【００１４】
第三の配筋構造によれば、多段配筋構造において、効果的に主鉄筋のはらみ出しを抑制することができる。はらみ出し抑制部材は、多段配筋部のみに配置されるため、施工が容易である。また、部材長も短くて済むため、材料費の低減化も可能である。なお、本明細書において「多段配筋構造」とは、コンクリート部材の表面側および背面側のそれぞれに鉄筋が多段配筋（例えば、ダブル配筋）されている構造を言う。
【発明の効果】
【００１５】
本発明によれば、主鉄筋のはらみ出しを抑制する配筋構造を簡易に構成することができる。
【図面の簡単な説明】
【００１６】
【図１】第一の実施形態に係る配筋構造を示す図であって、（ａ）は配筋構造の斜視図、（ｂ）は同配筋構造により補強されたコンクリート部材の縦断面図である。
【図２】図１に示す配筋構造の他の形態を示す図であって、（ａ）は斜視図、（ｂ）は断面図である。
【図３】図１に示す配筋構造のその他の形態を示す図であって、（ａ）は斜視図、（ｂ）は断面図である。
【図４】第二の実施形態に係る配筋構造を示す図であって、（ａ）は配筋構造の斜視図、（ｂ）は同配筋構造により補強されたコンクリート部材の平断面図である。
【図５】図４に示す配筋構造の他の形態を示す図であって、（ａ）は配筋構造の斜視図、（ｂ）は同配筋構造の立面図、（ｃ）は同配筋構造により補強されたコンクリート部材の平断面図である。
【図６】第三の実施形態に係る配筋構造を示す図であって、（ａ）は配筋構造の斜視図、（ｂ）は同配筋構造により補強されたコンクリート部材の平断面図である。
【図７】第四の実施形態に係る配筋構造を示す図であって、（ａ）は配筋構造の斜視図、（ｂ）は同配筋構造により補強されたコンクリート部材の平断面図である。
【発明を実施するための形態】
【００１７】
以下、本発明の実施形態について説明する。
第一の実施形態に係る配筋構造１は、コンクリート部材の内部に埋設される補強材であって、図１の（ａ）に示すように、主鉄筋２０と、配力筋３０と、はらみ出し抑制部材１０とを備えている。
【００１８】
本実施形態の主鉄筋２０は、縦向きに配筋されている。なお、主鉄筋２０の向きは限定されるものではない。
【００１９】
配力筋３０は、主鉄筋２０と交差するように、横向きに配筋されている。なお、配力筋３０の向きは、主鉄筋２０の向きに応じて適宜決定すればよい。
【００２０】
はらみ出し抑制部材１０は、主鉄筋２０および配力筋３０の内側に配設されているとともに、配力筋３０に係止されている。
はらみ出し抑制部材１０は、複数の係止部１１，１１，…と枠部１２とを備えている。
【００２１】
係止部１１は鉄筋により構成されており、係止部１１の外側端部（一端）には、曲げ加工を施すことによりＪ字状のフック１１ａが形成されていて、係止部１１の内側端部には、曲げ架構を施すことによりＬ字状の固定部１１ｂが形成されている。
【００２２】
係止部１１は、配力筋３０にフック１１ａを係止し、枠部１２に固定部１１ｂを溶接接合することで、配力筋３０と枠部１２に横架されている。なお、固定部１１ｂの枠部１２への固定方法は限定されるものではない。なお、係止部１１は、コンクリート部材Ｃに鉄筋が多段配筋されている場合（コンクリート部材Ｃの厚さ方向に複数の鉄筋が並設されている場合）には、複数の鉄筋に横架されることなく、一端のみが鉄筋に係止されるものとし、他端は両鉄筋の間となる位置に配設される。つまり、係止部１１は、並設された複数の鉄筋（主鉄筋２０または配力筋３０）に横架されるものではない。
【００２３】
枠部１２は、主鉄筋２０および配力筋３０の内側であって、主鉄筋２０および配力筋３０から間隔を開けた位置に配設されている。コンクリート部材Ｃに鉄筋が多段配筋されている場合には、両鉄筋の間に枠部１２を配設する。
枠部１２は、図１の（ｂ）に示すように、主鉄筋２０および配力筋３０の内側において、コンクリート部材Ｃの表面と平行に配設されている。
【００２４】
枠部１２は、曲げ加工を施すことにより矩形状に形成された鉄筋により構成されている。なお、枠部１２を構成する材料は鉄筋に限定されるものではなく、例えば枠状に形成された鋼材であってもよい。
【００２５】
枠部１２の外側には、複数の係止部１１，１１，…が固定されている。枠部１２には、図１の（ａ）に示すように、横方向に２列、縦方向に複数段の係止部１１，１１，…が固定されている。なお、枠部１２に固定される係止部１１の数や配置は限定されるものではない。また、本実施形態では、配力筋３０と間隔と係止部１１，１１，…の縦間隔を同間隔としたが、係止部１１の縦間隔は限定されるものではなく、例えば、配力筋３０の間隔の２倍であってもよい。
【００２６】
本実施形態の枠部１２の横幅（配力筋３０の軸方向に沿った長さ）は、隣り合う主鉄筋２０，２０同士の間隔と同じ大きさに形成されている。
そして、はらみ出し抑制部材１は、係止部１１のフック１１ａを配力筋３０に係止した状態で配置されているとともに、枠部１２に固定された左右に隣り合う係止部１１，１１が、それぞれ隣り合う２本の主鉄筋２０，２０に近接した状態で配置されている。
【００２７】
なお、はらみ出し抑制部材１０は、係止部１１，１１により２本の主鉄筋２０，２０を挟んでもよいし、３本以上の主鉄筋２０，２０を一対の係止部１１，１１により挟んでいてもよい。また、枠部１２の形状寸法は限定されるものではない。
【００２８】
本実施形態によれば、係止部１１，１１，…と枠部１２により立体的に形成されたはらみ出し抑制部材１０を配力筋３０に係止させているため、立体的に接続された配筋構造１が形成される。そのため、地震等によりコンクリート部材Ｃが大きな繰り返し変形を受けた場合であっても、主鉄筋２０の座屈（はらみ出すような変形）を防止できる。
はらみ出し抑制部材１０は、係止部１１の付着力以外に、枠部１２の付着力や支圧力によっても引き抜き抵抗力が増大するので、効果的に主鉄筋２０のはらみ出しを抑制することができる。
【００２９】
枠部１２は、コンクリート部材Ｃの主鉄筋２０の内側に間隔をあけて配設されているため、コンクリート部材Ｃの曲げ耐力に寄与することがない。つまり、はらみ出し抑制部材１０を配設しても曲げ耐力が増加することはなく、ひいては、コンクリート部材Ｃがせん断破壊しやすくなることを防止できる。
【００３０】
はらみ出し抑制部材１０自体が立体的に形成されているため、主鉄筋２０または配力筋３０に係止させるとともに結束線で固定することで、配筋構造１が立体的に固定されるようになり、コンクリート打設時のコンクリートの圧力等に対して、十分に抵抗することができ、位置を保持することができる。
なお、本実施形態では、はらみ出し抑制部材１０を配力筋３０に係止する場合について説明したが、はらみ出し抑制部材１０は主鉄筋２０に係止させてもよい。
【００３１】
また、本実施形態では、枠部１２として、矩形状に形成された鉄筋を使用するものとしたが、枠部１２の形状は矩形に限定されるものではない。例えば、図２に示すように、鉄筋を連続的にくの字状に折り曲げることで鋸刃状（ジグザグ状）に形成された枠部１２を採用してもよい。また、図３に示すように、鉄筋を連続的にコの字状（クランク状）に折り曲げることにより凹凸状に形成された枠部１２を採用してもよい。
【００３２】
また、係止部１１の端部の形状は必ずしも前記に示した形状である必要はなく、例えば、両端をＬ字状に曲げてもよいし、端部にプレートを固定されていてもよい。
【００３３】
第二の実施形態に係る鉄筋構造２は、図４の（ａ）に示すように、主鉄筋２０と、配力筋３０と、はらみ出し抑制部材１０とを備えている。
【００３４】
なお、第二の実施形態に係る主鉄筋２０および配力筋３０は、第一の実施の形態で示したものと同様なため、詳細な説明は省略する。
【００３５】
はらみ出し抑制部材１０は、曲げ加工を施すことにより形成された凸部１３と直線部１４とを有する鋼棒である。
【００３６】
直線部１４は、隣り合う２本の主鉄筋２０，２０の外側に接しており、凸部１３は、隣り合う２本の主鉄筋２０，２０の間から内側に向って延出しており、主鉄筋２０よりも内側に配置されている。
はらみ出し抑制部材１０は、図示しない結束線等により主鉄筋２０に固定されているとともに、主鉄筋２０に固定された倒れ止め鋼材１５に固定されている。
【００３７】
図４の（ｂ）に示すように、凸部１３は、Ｖ字状に形成されており、コンクリート部材Ｃの平面視中間付近（コンクリート部材Ｃの厚さ方向中央部）に先端部が到達する程度の高さ（突出長さ）を有している。なお、凸部１３の形状寸法は限定されるものではない。
【００３８】
直線部１４は、隣り合う主鉄筋２０，２０同士の間隔よりも大きな長さに形成されている。
はらみ出し抑制部材１０を、主鉄筋２０，２０，…に係止させると、隣り合う凸部１３，１３により隣り合う２本の主鉄筋２０，２０を挟む状態となる。
【００３９】
本実施形態によれば、凸部１３を有したはらみ出し抑制部材１０を主鉄筋２０に係止させているため、立体的に形成された配筋構造１となる。そのため、地震等によりコンクリート部材Ｃが大きな繰り返し変形を受けた場合であっても、主鉄筋２０の座屈（はらみ出すような変形）を防止できる。
つまり、はらみ出し抑制部材１０は、凸部１３の付着力により抵抗力が増大し、効果的に主鉄筋２０のはらみ出しを抑制することができる。
【００４０】
また、はらみ出し抑制部材１０は、主鉄筋２０の表面側のみからの作業により設置することができるため、施工性に優れている。
【００４１】
なお、本実施形態では、はらみ出し抑制部材１０を配力筋３０と平行になるように配設して、主鉄筋２０に係止する場合について説明したが、はらみ出し抑制部材１０は、配力筋３０に係止させてもよい。この場合は、はらみ出し抑制部材１０を主鉄筋２０と平行に配設すればよい。なお、はらみ出し抑制部材１０は、Ｖ字状に形成された凸部１３が変形を吸収するため、はらみ出し抑制部材１０を主鉄筋２０に沿って配置した場合であってもコンクリート部材Ｃの曲げ耐力が増加することはない。
【００４２】
はらみ出し抑制部材１０は、倒れ止め鋼材１５により立体的に固定されることで、コンクリート打設時のコンクリートの圧力等に対して、十分に抵抗することができ、位置を保持することができる。
【００４３】
はらみ出し抑制部材１０は、主鉄筋２０に沿って配設される鉛直部材を備えていないため、コンクリート部材Ｃの曲げ耐力を上昇させてしまうことがない。すなわち、はらみ出し抑制部材１０を配設しても、コンクリート部材Ｃの変形性能が低下することはない。
【００４４】
本実施形態では、凸部１３と直線部１４が、側面視で直線状の場合について説明したが、図５に示すように、凸部１３を挟んで隣り合う直線部１４，１４の高さが異なっていてもよい。この場合凸部１３は、配力筋３０に対して斜めに配置される（図５の（ｂ）参照）。
はらみ出し抑制部材１０を立体的に形成すれば、より効果的に主鉄筋２０の座屈を防止することができる。また、はらみ出し抑制部材１０は、直線部１４が主鉄筋２０に対して傾斜しており、鉛直部材を備えていないため、コンクリート部材Ｃの曲げ耐力を上昇させてしまうことがない。つまり、はらみ出し抑制部材１０を配設しても、コンクリート部材Ｃの変形性能が低下することはない。
【００４５】
第三の実施形態に係る配筋構造３は、コンクリート部材の内部に埋設される補強材であって、図６の（ａ）に示すように、コンクリート部材の外面に沿って配筋された外側主鉄筋２１および外側配力筋３１と、外側主鉄筋２１および外側配力筋３１の内側に並設された内側主鉄筋２２および内側配力筋３２と、外側主鉄筋２１と内側主鉄筋２２とを連結するはらみ出し抑制部材１０とを備えている。
【００４６】
コンクリート部材Ｃは、図６の（ｂ）に示すように、コンクリート部材Ｃの表面側と裏面側とのそれぞれに主鉄筋２０（外側主鉄筋２１および内側主鉄筋２２）が２段配筋されたいわゆるダブル配筋構造により構成されている。
本実施形態の主鉄筋２０は、縦向きに配筋されている。なお、主鉄筋２０の向きは限定されるものではない。
【００４７】
配力筋３０（外側配力筋３１および内側配力筋３２）は、主鉄筋２０と交差するように、横向きに配筋されている。なお、配力筋３０の向きは、主鉄筋２０の向きに応じて適宜決定すればよい。
【００４８】
はらみ出し抑制部材１０は、鉄筋を加工することにより構成されており、複数本の内側主鉄筋３２，３２を囲うようにコ字状を呈している。
はらみ出し抑制部材１０の両端には、フック１０ａ，１０ａが形成されている。
【００４９】
はらみ出し抑制部材１０は、図６の（ａ）に示すように、内側主鉄筋２２と外側配力筋３１とを連結している。つまり、はらみ出し抑制部材１０は、外側主鉄筋２１，２１および内側主鉄筋２２，２２を囲うとともに、フック１０ａ，１０ａが外側配力筋３１に係止されている。
【００５０】
本実施形態によれば、はらみ出し抑制部材１０を内側主鉄筋２２と外側配力筋３１に係止させているため、全体的に立体的に接続された配筋構造３が形成される。そのため、地震等によりコンクリート部材Ｃが大きな繰り返し変形を受けた場合であっても、外側主鉄筋２１の座屈（はらみ出すような変形）を防止できる。
はらみ出し抑制部材１０は、付着力および支圧力により抵抗力が増大し、効果的にはらみ出しを抑制することができる。
【００５１】
なお、本実施形態では、はらみ出し抑制部材１０のフック１０ａを外側配力筋３１に係止する場合について説明したが、フック１０ａを外側主鉄筋２１に係止させてもよい。
【００５２】
また、はらみ出し抑制部材１０の端部の形状には必ずしもフック１０ａが形成されている必要はなく、例えば、両端をＬ字状に曲げてもよいし、端部にプレートを固定されていてもよい。
【００５３】
第四の実施形態に係る配筋構造４は、コンクリート部材の内部に埋設される補強材であって、図７の（ａ）に示すように、コンクリート部材の外面に沿って配筋された外側主鉄筋２１および外側配力筋３１と、外側主鉄筋２１および外側配力筋３１の内側に並設された内側主鉄筋２２および内側配力筋３２と、外側主鉄筋２１と内側主鉄筋２２とを連結するはらみ出し抑制部材１０とを備えている。
【００５４】
コンクリート部材Ｃは、図７の（ｂ）に示すように、コンクリート部材Ｃの表面側と裏面側とのそれぞれに主鉄筋２０（外側主鉄筋２１および内側主鉄筋２２）が２段配筋されたいわゆるダブル配筋構造により構成されている。
本実施形態の主鉄筋２０は、縦向きに配筋されている。なお、主鉄筋２０の向きは限定されるものではない。
【００５５】
配力筋３０（外側配力筋３１および内側配力筋３２）は、主鉄筋２０と交差するように、横向きに配筋されている。なお、配力筋３０の向きは、主鉄筋２０の向きに応じて適宜決定すればよい。
【００５６】
はらみ出し抑制部材１０は、一端にフック１０ａが形成されており、他端にプレート１０ｂが固定されている。プレート１０ｂは、はらみ出し抑制部材１０を構成する鉄筋の鉄筋径よりも大きな幅を有している。
【００５７】
はらみ出し抑制部材１０は、図７に示すように、外側配力筋３１と内側主鉄筋２２とを連結している。つまり、はらみ出し抑制部材１０は、フック１０ａが外側配力筋３１に係止されているとともに、プレート１０ｂが内側主鉄筋２２に係止されている。
【００５８】
本実施形態によれば、はらみ出し抑制部材１０を内側主鉄筋２２と外側配力筋３１に係止させているため、立体的に接続された配筋構造３が形成される。そのため、地震等によりコンクリート部材Ｃが大きな繰り返し変形を受けた場合であっても、外側主鉄筋２１の座屈（はらみ出すような変形）を防止できる。
はらみ出し抑制部材１０は、付着力および支圧力により抵抗力が増大し、効果的にはらみ出しを抑制することができる。
【００５９】
はらみ出し抑制部材１０を、多段配筋された外側配力筋３１と内側主鉄筋２２との間に配設することで外側主鉄筋２１の座屈を防止することができるため、コンクリート部材Ｃを横断するように配設されたはらみ出し抑制部材と比較して、材料費および施工の手間の低減化が可能となる。
【００６０】
なお、本実施形態では、はらみ出し抑制部材１０を内側主鉄筋２２と外側配力筋３１に係止する場合について説明したが、はらみ出し抑制部材１０は内側主鉄筋２２と外側主鉄筋２１に係止させてもよい。
【００６１】
また、はらみ出し抑制部材１０の端部の形状には必ずしもフック１０ａが形成されている必要はなく、例えば、はらみ出し抑制部材１６のように、両端にプレート１０ｂ，１０ｂが固定されていてもよい。
【００６２】
以上、本発明について、好適な実施形態について説明した。しかし、本発明は、前述の実施形態に限られず、前記の各構成要素については、本発明の趣旨を逸脱しない範囲で、適宜変更が可能である。
本発明の配筋構造が適用可能のコンクリート部材は限定されるものではなく、例えば、壁、梁、柱、床版、橋台、橋脚等、あらゆるコンクリート部材に適用可能である。
【符号の説明】
【００６３】
１，２，３，４  配筋構造
１０  はらみ出し抑制部材
１１  係止部
１２  枠部
１３  凸部
１４  直線部
２０  主鉄筋
２１  外側主鉄筋
２２  内側主鉄筋
３０  配力筋
３１  外側配力筋
３２  内側配力筋
Ｃ    コンクリート部材
【図１】
0005950657.tif 000002
【図２】
0005950657.tif 000003
【図３】
0005950657.tif 000004
【図４】
0005950657.tif 000005
【図５】
0005950657.tif 000006
【図６】
0005950657.tif 000007
【図７】
0005950657.tif 000008